(57)【特許請求の範囲】
【請求項１】
機械装置の外側を覆う筐体の上面に設けられ、一端付近に設けられた回動軸を中心に他端を上方に旋回させて開放状態とすることにより筐体の上面から内部の機械装置の一部に接近又は接触することを可能とするカバー板を複数有する筐体カバーであって、
この複数のカバー板は、カバー板どうしが互いに隣接する部分において、一方のカバー板の一端側の部分の上方に、他方のカバー板の他端側の部分が重なっている重ね部を形成しているとともに、
前記一方のカバー板を旋回させると、この一方のカバー板の一端側に重なった他方のカバー板の他端が、一方のカバー板の上面を滑動しながら旋回することを特徴とする筐体カバー。
【請求項２】
機械装置の外側を覆う筐体の上面に設けられ、一端付近に設けられた回動軸を中心に他端を上方に旋回させて開放状態とすることにより筐体の上面から内部の機械装置の一部に接近又は接触することを可能とするカバー板を複数有する筐体カバーであって、
この複数のカバー板は、カバー板どうしが互いに隣接する部分において、一方のカバー板の一端側の部分の上方に、他方のカバー板の他端側の部分が重なっている重ね部を形成しているとともに、
前記他方のカバー板の他端には、一方のカバー板の上面に対し滑り接触する滑り部材が設けられていることを特徴とする筐体カバー。
【請求項３】
機械装置の外側を覆う筐体の上面に設けられ、一端付近に設けられた回動軸を中心に他端を上方に旋回させて開放状態とすることにより筐体の上面から内部の機械装置の一部に接近又は接触することを可能とするカバー板を複数有する筐体カバーであって、
この複数のカバー板は、カバー板どうしが互いに隣接する部分において、一方のカバー板の一端側の部分の上方に、他方のカバー板の他端側の部分が重なっている重ね部を形成しているとともに、
前記複数のカバー板のうち、一端側に重ね部を有しないカバー板の開閉状態を検知するインターロックスイッチが設けられていることを特徴とする筐体カバー。
【請求項４】
前記複数のカバー板は、旋回角度が９０°を越えた静止位置において、その静止位置を越えて旋回しないように構成され、前記一方のカバー板がこの静止位置にあるとき、他方のカバー板の旋回角度は９０°未満であることを特徴とする請求項１ないし３のいずれかに記載の筐体カバー。
【請求項５】
請求項１ないし４いずれかに記載の筐体カバーを上面に有し、その筐体内において用紙を搬送する略水平な搬送路を有することを特徴とする用紙搬送装置。
【請求項６】
前記用紙搬送装置は、前記搬送路の上方に、用紙搬送装置を構成するための機構の一部である上方構成体をさらに有し、前記搬送路は、用紙搬送ラインの上方に配置された上方挟持体と、用紙搬送ラインの下方に配置された下方挟持体とを有し、この上方挟持体と下方挟持体とで用紙を挟持して搬送するように構成され、前記カバー板を開放することにより、前記上方構成体の少なくとも一部に接近又は接触することが可能であるとともに、複数のカバー板のうちの少なくとも一つと、このカバー板の回動軸と、上方構成体と、上方挟持体とを一体に旋回可能とする旋回体が設けられ、この旋回体を旋回することにより搬送路を開放することを特徴とする請求項５記載の用紙搬送装置。
【請求項７】
請求項５または６記載の用紙搬送装置に加えて、前記搬送路を搬送される用紙に処理を行う処理部を有し、前記上方挟持体は、前記処理部のうち用紙搬送ラインの上方に配置された部分である上方処理部を含むことを特徴とする用紙処理装置。
【請求項８】
前記用紙搬送装置は、筐体内の上下に間隔をおいてそれぞれ略水平な上搬送路、下搬送路とを有し、上搬送路の用紙搬送ラインの上方に配置された上搬送路上方挟持体と、上搬送路の用紙搬送ラインの下方に配置された上搬送路下方挟持体と、下搬送路の用紙搬送ラインの上方に配置された下搬送路上方挟持体と、下搬送路の用紙搬送ラインの下方に配置された下搬送路下方挟持体とを有し、上搬送路においては上搬送路上方挟持体と上搬送路下方挟持体とで用紙を挟持して搬送し、下搬送路においては下搬送路上方挟持体と下搬送路下方挟持体とで用紙を挟持して搬送するように構成され、前記カバー板のうち少なくとも一つは、この上搬送路上方挟持体と一体に旋回することにより前記上搬送路を開放する上搬送路開放カバー板であって、この上搬送路開放カバー板はその一端側に前記重ね部を有し、さらにこの上搬送路開放カバー板と、上搬送路開放カバー板の回動軸と、上搬送路上方挟持体と、上搬送路下方挟持体と、下搬送路上方挟持体とを一体に旋回可能とする旋回体が設けられ、この旋回体を旋回することにより前記した搬送路を開放することを特徴とする請求項７記載の用紙搬送装置。
【請求項９】
請求項８記載の用紙搬送装置に加えて、上搬送路または下搬送路を搬送される用紙に処理を行う処理部を有し、前記上搬送路上方挟持体および下搬送路上方挟持体のうち少なくとも一方は、前記処理部のうち上搬送路または下搬送路における用紙搬送ラインの上方に配置された部分である上方処理部を含むことを特徴とする用紙処理装置。
【発明の詳細な説明】
【技術分野】
【０００１】
本発明は、機械装置の外側を覆う筐体の上面に設けられ、筐体の上面開口をふさぐとともに、旋回することにより上面開口を開放する筐体カバーに関し、さらにこの筐体内において用紙を搬送する用紙搬送装置に関し、さらに搬送される用紙に対して必要に応じて印刷、綴じ、折り、折り目付け、裁断、穿孔等の処理を行う用紙処理装置に関する。
【背景技術】
【０００２】
多くの機械装置において、装置の設定変更やエラー処理、部品交換、その他メンテナンス等の際に、この機械装置の外側を覆う筐体に設けられた開口をふさぐ筐体カバーを開いて開口を開放し、機械装置内部にアクセスすることができるようになっている。特に略水平に用紙を搬送しながら必要に応じて適宜の処理を行う用紙処理装置では、装置上面に開口を設け、これを開放することにより搬送路に詰まった用紙を取り除いたり、機械装置内部のメンテナンスができるようになっている。このような装置上面の筐体カバーの多くは、一端が回動軸に支持され、他端を自由端として回動軸を中心に旋回可能に構成し、この回動によって筐体カバーを開放状態とするようになっている。図１５はこのような筐体カバーを示す図で、装置筐体１０１の上面にカバー板１０２が設けられ、回動軸１０３を中心に旋回することにより、装置上面を開放可能になっている（例えば特許文献１参照）。
【特許文献１】特開平７−１３７４７８号公報（図１２）
【発明の開示】
【発明が解決しようとする課題】
【０００３】
しかし、装置が大型化して、特に水平方向の寸法が大きくなると、１枚のカバー板で装置上面を覆うような構成では、このカバー板の水平方向寸法が長くなるから、カバー板の旋回半径が大きくなる。カバー板を開放するためにはカバー板を９０°以上旋回しなければカバーの自重によりカバー板が閉じてしまうので、カバー板が９０°以上旋回できるように、装置上空のスベースが必要である。カバー板の大型化によって、この上空スペースが大きくとらなければならないので、スペースの有効活用ができず、さらにこのカバー板を持ち上げる運動量も大きくなるので開閉しづらくなるという問題がある。特に略水平方向に用紙の搬送路を持つ用紙処理装置の場合は、用紙がどこで詰まっても取り除けるように、搬送長さ方向すべてにわたって開放可能とする必要があるので、装置上空により大きなスペースが必要になる。
【０００４】
図１６に示すように、カバー板を２枚に分割して配置すれば、カバー板を高く持ち上げる必要はない。しかし、カバー板を開放することにより機械装置の危険部や可動部に手が触れるため、カバー板が開いている状態で装置が作動しないようにインターロック機構が必要であり、これをそれぞれのカバー板に設けなければならない。インターロックスイッチは高価なので、これを複数設けることにより、コストが高くなってしまうという問題がある。２つのカバー板の開閉状態検知を一つのインターロックスイッチで兼用する方法が種々提案されているが、例えばリンク機構などを構成して、一方のカバー板を閉じなければ他方のカバー板を閉じることができないようにするなど、複雑な機構を必要とするという問題もある。
【０００５】
さらに図１７は、上面のカバー板３０１と間隔をおいて下方に搬送路３０２が配置されていて、このカバー板３０１と搬送路３０２との間に機械装置を構成する機構の一部である構成体３０３を有する装置において、搬送路３０２のジャム処理を可能とするとともに、設定の変更やメンテナンスのために構成体３０３の上面をも開放可能とした搬送装置である。この搬送装置において、構成体３０３の上面を開放するには図１８のようにカバー板３０１を開けばよいが、さらに搬送路３０２をジャム処理のために開放するには、図１９のようにカバー板３０１を開き、さらに構成体３０３を旋回させなければならないので、旋回操作が２回必要になってわずらわしい。
【０００６】
本発明はこのような問題点に鑑みてなされたものであって、構成が簡単でコストが安く、操作も容易で上空に大きなスペースを必要とせず、安全性も高い装置の筐体カバーを提供し、また、この筐体カバーを適用することにより、ジャム処理がしやすい用紙搬送装置および用紙処理装置を提供することを目的とする。
【課題を解決するための手段】
【０００７】
上記課題を解決するために、本発明の筐体カバーおよび用紙搬送装置、用紙処理装置は、下記の構成を有する。
【０００８】
第１の構成は、機械装置の外側を覆う筐体の上面に設けられ、一端付近に設けられた回動軸を中心に他端を上方に旋回させて開放状態とすることにより筐体の上面から内部の機械装置の一部に接近又は接触することを可能とするカバー板を複数有する筐体カバーであって、この複数のカバー板は、カバー板どうしが互いに隣接する部分において、一方のカバー板の一端側の部分の上方に、他方のカバー板の他端側の部分が重なっている重ね部を形成していることを特徴とする筐体カバーである。
【０００９】
第２の構成は、第１の構成における一方のカバー板を旋回させると、この一方のカバー板の一端側に重なった他方のカバー板の他端が、一方のカバー板の上面を滑動しながら旋回することを特徴とする筐体カバーである。
【００１０】
第３の構成は、第２の構成における他方のカバー板の他端には、一方のカバー板の上面に対し滑り接触する滑り部材が設けられていることを特徴とする請求項２記載の筐体カバーである。
【００１１】
第４の構成は、第１ないし第３の構成における複数のカバー板は、旋回角度が９０°を越えた静止位置において、その静止位置を越えて旋回しないように構成され、前記一方のカバー板がこの静止位置にあるとき、他方のカバー板の旋回角度は９０°未満であることを特徴とする筐体カバーである。
【００１２】
第５の構成は、第１ないし第４の構成における複数のカバー板のうち、一端側に重ね部を有しないカバー板の開閉状態を検知するインターロックスイッチが設けられていることを特徴とする筐体カバーである。
【００１３】
第６の構成は、第１ないし第５の構成の筐体カバーを上面に有し、その筐体内において用紙を搬送する略水平な搬送路を有することを特徴とする用紙搬送装置である。
【００１４】
第７の構成は、第６の構成における用紙搬送装置が、前記搬送路の上方に、用紙搬送装置を構成するための機構の一部である上方構成体をさらに有し、前記搬送路は、用紙搬送ラインの上方に配置された上方挟持体と、用紙搬送ラインの下方に配置された下方挟持体とを有し、この上方挟持体と下方挟持体とで用紙を挟持して搬送するように構成され、前記カバー板を開放することにより、前記上方構成体の少なくとも一部に接近又は接触することが可能であるとともに、複数のカバー板のうちの少なくとも一つと、このカバー板の回動軸と、上方構成体と、上方挟持体とを一体に旋回可能とする旋回体が設けられ、この旋回体を旋回することにより搬送路を開放することを特徴とする用紙搬送装置である。
【００１５】
第８の構成は、第６または第７の構成に加えて、前記搬送路を搬送される用紙に処理を行う処理部を有し、前記上方挟持体は、前記処理部のうち用紙搬送ラインの上方に配置された部分である上方処理部を含むことを特徴とする用紙処理装置である。
【００１６】
第９の構成は、第６の構成における用紙搬送装置が、筐体内の上下に間隔をおいてそれぞれ略水平な上搬送路、下搬送路とを有し、上搬送路の用紙搬送ラインの上方に配置された上搬送路上方挟持体と、上搬送路の用紙搬送ラインの下方に配置された上搬送路下方挟持体と、下搬送路の用紙搬送ラインの上方に配置された下搬送路上方挟持体と、下搬送路の用紙搬送ラインの下方に配置された下搬送路下方挟持体とを有し、上搬送路においては上搬送路上方挟持体と上搬送路下方挟持体とで用紙を挟持して搬送し、下搬送路においては下搬送路上方挟持体と下搬送路下方挟持体とで用紙を挟持して搬送するように構成され、前記カバー板のうち少なくとも一つは、この上搬送路上方挟持体と一体に旋回することにより前記上搬送路を開放する上搬送路開放カバー板であって、この上搬送路開放カバー板はその一端側に前記重ね部を有し、さらにこの上搬送路開放カバー板と、上搬送路開放カバー板の回動軸と、上搬送路上方挟持体と、上搬送路下方挟持体と、下搬送路上方挟持体とを一体に旋回可能とする旋回体が設けられ、この旋回体を旋回することにより前記した搬送路を開放することを特徴とする用紙搬送装置である。
【００１７】
第１０の構成は、第９の構成に加えて、上搬送路または下搬送路を搬送される用紙に処理を行う処理部を有し、前記上搬送路上方挟持体および下搬送路上方挟持体のうち少なくとも一方は、前記処理部のうち上搬送路または下搬送路における用紙搬送ラインの上方に配置された部分である上方処理部を含むことを特徴とする用紙処理装置。
【００１８】
本発明の第１ないし第５の構成によれば、一方のカバー板を旋回させて開くことにより、この一方のカバー板に隣接し、互いに重ね部を形成する他方のカバー板も開く。したがって、互いに重ね部を形成して並列配置された複数のカバー板のうち、最も端部に配置されていて、かつ回動軸側にカバー板が隣接していないカバー板（回動軸側カバー板）の開閉を検知するインターロックスイッチを設けておけば、複数のカバー板のうちどのカバー板を開いても回動軸側カバー板は開くことになるので、インターロックスイッチが１つで済む。また、カバーが複数に分かれているので装置上空に大きな空間を必要としないので、スペースの有効活用ができる。また、複数のカバー板の一部を重ねただけというきわめて簡単な構成であるので、安価で故障の虞がなく安全な筐体カバーが得られる。
【００１９】
特に第３の構成によれば、一方のカバー板の上面と他方のカバー板の他端との接触スライド移動が滑り部材によってスムーズになり、また、第４の構成によれば、一方のカバー板を閉じることにより、他方のカバー板も閉じるので、閉じ動作時も１回の動作で済むのでより操作性が向上する。
【００２０】
さらに本発明の第６ないし第１０の構成によれば、用紙搬送装置の搬送路の開放が１回の旋回動作で済むため操作が簡単であり、インターロックスイッチも１つで済む。特に第７ないし第８の構成によれば、搬送路の上方に機械を構成する機構の一部である構成体が配置されている場合、構成体の上面の開放及び搬送路の開放どちらも１回の旋回操作で可能であり、第９ないし第１０の構成によれば、略水平な搬送路が上下に間隔をおいて配置されている場合、上方の搬送路も下方の搬送路もどちらも１回の旋回操作で開放可能である。
【発明の効果】
【００２１】
このように本発明においては、構成が簡単でコストが安い筐体カバーが得られ、また、この筐体カバーを適用することにより、ジャム処理がしやすい用紙搬送装置、用紙処理装置が得られるという効果がある。
【発明を実施するための最良の形態】
【００２２】
以下、本発明を実施するための最良の形態を、図面を参照して説明する。なお、背景技術と同一の形状・機能を有する部材・構成には同一の符号を用い、その詳細な説明は省略する。
【００２３】
まず本発明の第１実施形態を示す。図１ないし図３は本発明の第１実施形態の筐体カバー１および、これを適用した用紙搬送装置５１を示す正面図で、図４はその上面図である。図１に示すように、この用紙搬送装置５１は筐体２に覆われ、その内部に用紙を搬送する搬送路５２を有している。用紙は入紙口５４から排紙口５５に向かって１枚ずつ、もしくは複数枚束の状態で搬送される。入紙口５４側には、この用紙搬送装置５１に入る前段階の処理を行う前装置９１が連結される。排紙口５５側には、この用紙搬送装置５１から排出された後段階の処理を行う後装置９２か、もしくは排出された用紙を積載する積載装置９３が連結される。さらにこの用紙搬送装置５１には、搬送路５２を駆動制御する制御部５６が設けられている。なお、前装置９１に代えて、筐体２内に用紙を１枚ずつ給送する給紙装置を設け、搬送路５２に供給するようにしても良い。
【００２４】
筐体カバー１はこの筐体２の上面に設けられ、第１カバー板１１と、第２カバー板１２の、計２枚のカバー板で構成されている。第１カバー板１１の一端側１１ａには、回動軸１１ｂが設けられ、他端側１１ｃを上方に引き上げることにより、回動軸１１ｂを中心に旋回可能になっている。同様に、第２カバー板１２の一端側１２ａには、回動軸１２ｂが設けられ、他端側１２ｃを上方に引き上げることにより、回動軸１２ｂを中心に旋回可能になっている。
【００２５】
そして、第１カバー板１１の一端側１１ａ付近の部分の上方には、第２カバー板１２の他端側１２ｃ付近の部分が重なっている重ね部１３を形成している。また、この２枚のカバー板のうち、一端側に重ね部を有しない第２カバー板１２の下方には、この第２カバー板１２の開閉状態を検知するインターロックスイッチ１４が設けられている。第２カバー板１２は閉状態において、カバー板下面でこのインターロックスイッチ１４を押してＯＮとしている。図２は第２カバー板を旋回させて開いた状態を示す。図２のように第２カバー板１２の他端側１２ｃを上方に引き上げて旋回させると、第２カバー板１２が開く。この第２カバー板１２は旋回角度が９０°を越えた位置（図２の位置）を静止位置とし、図示しないストッパ等によってそれ以上旋回しないようになっている。
【００２６】
そしてこの第２カバー板１２を開くと、カバー板下面がインターロックスイッチ１４から離間してスイッチを押すことができなくなるのでＯＦＦとなる。このインターロックスイッチ１４のＯＮ、ＯＦＦ信号が制御部５６に送られ、制御部５６はインターロックスイッチ１４がＯＦＦであれば、搬送路５２を駆動しないようになっている。
【００２７】
図３は第１カバー板１１を旋回させて開いた状態を示す。図３のように第１カバー板１１の他端側１１ｃを上方に引き上げて旋回させると、第２カバー板１２の他端側１２ｃは第１カバー板１１上面を滑動することによりこちらも上方に旋回される。従って第１カバー板１１を旋回すると第２カバー板１２も旋回し、インターロックスイッチ１４はＯＦＦとなる。
【００２８】
第１カバー板１１は、旋回角度が９０°を越えた位置（図３の位置）を静止位置とし、図示しないストッパ等によってそれ以上旋回しないようになっている。第１カバー板１１がこの静止位置にあるとき、第２カバー板１２の旋回角度は９０°に満たず、その他端側１２ｃが第１カバー板１１の上面に当接してもたれかかっている。したがってこのまま第１カバー板１１を閉じると、第２カバー板１２もその他端側１２ｃが第１カバー板上面を滑動して、図１のように第１カバー板１１、第２カバー板１２がともに閉じている状態になる。
【００２９】
これらの構成により、第１カバー板１１、第２カバー板１２のいずれかが開いていると、インターロックスイッチ１４がＯＦＦになることから、１つのインターロックスイッチによって２枚のカバー板のいずれかが開き状態であることが検知可能であるので、第１カバー板１１、第２カバー板１２それぞれに対応してインターロックスイッチを設ける必要がない。従って構成を複雑にすることなく、２枚のカバー板がインターロックスイッチ１４を共用することができる。また、第１カバー板１１を旋回させると第２カバー板１２も旋回するが、その後第１カバー板１１を閉じると第２カバー板１２も閉じるから、閉じる作業を２度行う必要がない。
【００３０】
さらに、第１カバー板１１、第２カバー板１２ともに完全に開きたい場合は、どちらも９０°を越えた静止位置まで旋回させる。そうすれば用紙搬送装置５１の上面を完全に開放することができる。また、用紙搬送装置５１の上空には、この第１カバー板１１および第２カバー板１２の旋回に要する空間を確保すればよいので、１枚の大きなカバー板を旋回させる場合に比べて上空スペースが少なくてすみ、スペースを有効に活用することができる。また、カバー板を９０°満たない旋回角度で静止させるための高価なダンパ等も必要がない。
【００３１】
第２カバー板１２の他端側１２ｃには、滑り部材１５が設けられている。この滑り部材１５は、滑りやすく磨耗が少ないポリアセタール、ナイロン等の樹脂材料で形成されており、第１カバー１１の上面に接触するように設けられている。第１カバー板１１の旋回に応じて、第２カバー板１２の他端側１２ｃが第１カバー板１１の上面を滑動する時、この滑り部材１５が第１カバー板１１の上面を滑動するので、滑動がスムーズになる。従って第１カバー板１１の開閉がスムーズになり、第１カバー板が１１の表面の磨耗等の問題がなくなる。
【００３２】
図４のように、この滑り部材１５は、第２カバー板１２の他端側１２ｃの、用紙搬送方向に直交する方向の両端に設けられている。こうすることにより、滑り部材１５と第１カバー板１１の上面との摩擦接触面積を最小限に抑えることができる。また図４に示すように、筐体２は手前側壁部２ａと奥側壁部２ｂを有しており（図１ないし図３では省略している）、回動軸１１ａ、１１ｂはこの手前側壁部２ａと奥側壁部２ｂに支持されている。
【００３３】
なお、図１に示すように本発明の第１実施形態は、用紙搬送装置５１の構成に加えて、この搬送路５２で搬送される用紙に対し、必要に応じて適宜の処理を行う処理部５３を有し、制御部５６は搬送路５２に加えて処理部５３の駆動制御をも行い、インターロックスイッチ１４がＯＦＦであれば、この制御部５３も駆動しないようにした用紙処理装置５１ｕであってもよい。適宜の処理とは、用紙に印刷を行う印刷処理、穴を開ける穿孔処理、裁断を行う裁断処理、ステープル綴じや糊綴じ等を行う綴じ処理、複数の用紙の端部を揃える整合処理、用紙を折る折処理、折り目をつける折目付け処理等が挙げられ、処理部５３にはこれらの処理のうちの１つを行う装置または、いくつかを組み合わせて行う装置が適用される。
【００３４】
続いて本発明の第２実施形態の筐体カバー１ａを有する用紙搬送装置５１ａを説明する。第１実施形態と同一の形状および機能の部品には同一の番号を付して、その詳細な説明は一部省略する。
【００３５】
図５および図６は本発明の第２実施形態の筐体カバー１ａを有する用紙搬送装置５１ａを示す図である。図５に示すのように、この筐体カバー１ａは、第１カバー板２１、第２カバー板２２、第３カバー板２３の、合計３枚のカバー板を有している。第１カバー板２１の一端側２１ａには、回動軸２１ｂが設けられ、他端側２１ｃを上方に引き上げることにより、回動軸２１ｂを中心に旋回可能になっている。同様に、第２カバー板２２の一端側２２ａには、回動軸２２ｂが設けられ、他端側２２ｃを上方に引き上げることにより、回動軸２２ｂを中心に旋回可能になっおり、さらに第３カバー板２３の一端側２３ａには、回動軸２３ｂが設けられ、他端側２３ｃを上方に引き上げることにより、回動軸２３ｂを中心に旋回可能になっている。
【００３６】
そして、第１カバー板２１の一端側２１ａ付近の部分の上方には、第２カバー板２２の他端側２２ｃ付近の部分が重なっている重ね部２７ａを形成し、第２カバー板２２の一端側２２ａ付近の部分の上方には、第３カバー板２３の他端側２３ｃ付近の部分が重なっている重ね部２７ｂを形成している。また、この３枚のカバー板のうち、一端側に重ね部を有しない第３カバー板２３の下方には、この第３カバー板２３の開閉状態を検知するインターロックスイッチ２４が設けられている。第３カバー板２３は閉状態において、カバー板下面でこのインターロックスイッチ２４を押してＯＮとしている。従って第３カバー板２３を旋回させて開くと、第３カバー板２３下面がインターロックスイッチ２４から離間するので、インターロックスイッチ２４はＯＦＦとなる。
【００３７】
この用紙搬送装置５１ａは筐体２に覆われ、その内部には第１実施形態と同様に、搬送路５２、入紙口５４、排紙口５５、制御部５６が設けられている。制御部５６にはインターロックスイッチ２４のＯＮ、ＯＦＦ信号が送られ、インターロックスイッチ２４がＯＦＦであれば、搬送路５２を駆動しないようになっている。また、この用紙搬送装置５１ａに代え、用紙搬送装置５１ａの構成に加えて処理部５３が設けられた用紙処理装置５１ｖであっても良い。
【００３８】
図６は第１カバー板２１を旋回させて開いた状態を示す。図６のように第１カバー板２１の他端側２１ｃを上方に引き上げて旋回させると、第２カバー板２２の他端側２２ｃは第１カバー板２１上面を滑動することによりこちらも上方に旋回される。さらに同様に第３カバー板２３の他端側２３ｃは第２カバー板２２の上面を滑動することにより、これも上方に旋回される。従って第１カバー板２１を旋回すると第２カバー板２２も旋回し、さらに第３カバー板２３も旋回し、インターロックスイッチ２４はＯＦＦとなる。
【００３９】
第１カバー板２１は、旋回角度が９０°を越えた位置（図６の位置）を静止位置とし、図示しないストッパ等によってそれ以上旋回しないようになっている。第１カバー板２１がこの静止位置にあるとき、第２カバー板２２の旋回角度は９０°に満たず、その他端側２２ｃが第１カバー板２１の上面に当接してもたれかかっている。同様に、第３カバー板２３の旋回角度も９０°に満たず、その他端側２３ｃが第２カバー板２２の上面に当接してもたれかかっている。したがってこのまま第１カバー板２１を閉じると、第２カバー板２２もその他端側２２ｃが第１カバー板２１上面を滑動し、さらに第３カバー板２３もその他端側２３ｃが第１カバー板２２上面を滑動して、図５のように、第１カバー板２１、第２カバー板２２、第３カバー板２３がすべて閉じている状態になる。
【００４０】
第２カバー板２２を旋回させて開いた場合も、これに応じて第３カバー板２３が旋回するので、インターロックスイッチ２４はＯＦＦとなる。これらの構成により、第１カバー板２１、第２カバー板２２、第３カバー板２３のいずれかが開いていると、インターロックスイッチ２４がＯＦＦになることから、１つのインターロックスイッチによって３枚のカバー板のいずれかが開き状態であることが検知可能であるので、それぞれのカバー板に対応してインターロックスイッチを３個設ける必要がない。従って構成を複雑にすることなく、３枚のカバー板がインターロックスイッチ２４を共用することができる。また、第１実施形態と同様に、カバー板を閉じるとき、閉じる作業を複数回行う必要がなく、上空スペースを有効活用でき、ダンパ等も必要ない。
【００４１】
第２カバー板２２の他端側２２ｃと、第３カバー板２３の他端側２３ｃには、第１実施形態と同一の滑り部材１５が設けられているので、第２カバー板２２及び第３カバー板２３の開閉がスムーズになるとともに表面の磨耗等の問題がなくなる。
【００４２】
同様に、カバー板が４枚、５枚、あるいはそれ以上の場合でも、カバー板どうしが互いに隣接する部分において重ね部を形成することにより、第１実施形態と同様の効果が得られる。カバー板の枚数が多くすれば、より搬送長さの長い用紙搬送装置に本発明が適用できるというメリットがある。
【００４３】
次に本発明の第３実施形態の筐体カバー１ｃおよび用紙搬送装置５１ｃを説明する。図７ないし図９はこの本発明の第３実施形態の筐体カバー１ｃおよび用紙搬送装置５１ｃを示す図である。
【００４４】
この第３実施形態の用紙搬送装置５１ｃは筐体２に覆われ、その内部に搬送路５２ｃを有している。用紙は入紙口５４ｃから排紙口５５ｃに向かって１枚ずつ、もしくは複数枚束の状態で搬送される。入紙口５４ｃ側には、この用紙搬送装置５１ｃに搬入される前段階の処理を行う前装置９１が連結される。排紙口５５ｃ側には、この用紙搬送装置５１ｃから排出された後段階の処理を行う後装置９２か、もしくは排出された用紙を積載する積載装置９３が連結される。さらにこの用紙搬送装置５１ｃには、搬送路５２ｃを駆動制御する制御部５６ｃが設けられている。なお、前装置９１に代えて、筐体２内に用紙を１枚ずつ給送する給紙装置を設け、搬送路５２ｃに供給しても良い
【００４５】
さらにこの搬送路５２ｃは、用紙を用紙搬送ラインの上下から挟持して搬送するため、用紙を上方から挟持する上方挟持体５７と、用紙を下方から挟持する下方挟持体５８を有している。本第３実施形態においては、下方挟持体５８は一対のローラ５８ａ間に掛け渡された搬送ベルト５８ｂで構成される。上方挟持体５７は、搬送ベルト５８ｂの上方に接触転動する複数の搬送ローラ５７ａにより構成されている。一対のローラ５８ａの一方には図示しない駆動源から駆動力が付与されているので、この駆動力により搬送ベルト５８ｂが周回し、これに転動して搬送ローラ５７ａが回転する。そして搬送ベルト５８ｂ上の用紙を搬送ローラ５７ａとの間に挟んで用紙搬送ラインに沿って搬送する。なお、搬送ローラ５７ａは搬送ベルトであってもよく、搬送ベルト５８ｂが搬送ローラであっても良いことはもちろんである。
【００４６】
この搬送路５２ｃの上方には、上方構成体６０が設けられている。この上方構成体６０は、用紙搬送装置を構成するための機構のうち、搬送路５２ｃよりも上方に設けられたものである。具体的には、例えば搬送路５２ｃを搬送される用紙を検知するセンサ等の電気関係部品や、駆動モータや駆動伝達部材等の駆動関係部品、搬送を補助するためのエアの発生源や流路など、用紙搬送装置を構成するために必要な部材が少なくとも一つ、あるいは複数組み合わせて設けられている。そしてこの上方構成体６０と、上方挟持体５７とをともに支持し、回動軸６１ａを中心に旋回可能な旋回体６１が設けられている。この旋回体６１の図示右側上方には取っ手６１ｂが設けられている。この取っ手６１ｂを引き上げて旋回体６１を上方に旋回させると、搬送路５２ｃを開放することができる。
【００４７】
筐体カバー１ｃは図７に示すようにこの筐体２の上面に設けられ、第１カバー板３１と、第２カバー板３２の、計２枚のカバー板で構成されている。第１カバー板３１の一端側３１ａには、回動軸３１ｂが設けられ、他端側３１ｃを上方に引き上げることにより、回動軸３１ｂを中心に旋回可能になっている。同様に、第２カバー板３２の一端側３２ａには、回動軸３２ｂが設けられ、他端側３２ｃを上方に引き上げることにより、回動軸３２ｂを中心に旋回可能になっている。
【００４８】
第２カバー板３２の回動軸３２ｂは、筐体の手前側壁部及び奥側壁部（図示せず）に支持されている。一方で、第１カバー板３１の回動軸３１ｂは、旋回体６１に支持されている。旋回体６１にはカバー板受部６１ｃが形成されており、第１カバー板３１の下面がこのカバー板受部６１ｃ上に載っている。従ってこの旋回体６１を旋回させると、上方構成体６０と上方挟持体５７とともに、この第１カバー板３１も一緒に、回動軸６１ａを中心に旋回する。この旋回体６１を旋回させたとき、旋回角度が９０°に満たない位置で停止させても、旋回体６１が閉じないようにするためのダンパ５９が設けられている。
【００４９】
そして、第１カバー板３１の一端側３１ａ付近の部分の上方には、第２カバー板３２の他端側３２ｃ付近の部分が重なっている重ね部３３を形成している。また、２枚のカバー板のうち、一端側に重ね部を有しない第２カバー板３２の下方には、この第２カバー板３２の開閉状態を検知するインターロックスイッチ３４が設けられている。第２カバー板３２は閉状態において、カバー板下面でこのインターロックスイッチ３４を押してＯＮとしている。
【００５０】
この第２カバー板３２を開くと、カバー板下面がインターロックスイッチ３４から離間してスイッチを押すことができなくなるのでＯＦＦとなる。このインターロックスイッチ３４のＯＮ、ＯＦＦ信号が制御部５６ｃに送られ、制御部５６ｃはインターロックスイッチ３４がＯＦＦであれば、搬送路５２ｃを駆動しないようになっている。
【００５１】
図８は第１カバー板３１を旋回させて開いた状態を示す。図８のように第１カバー板３１の他端側３１ｃを上方に引き上げて旋回させると、第２カバー板３２の他端側３２ｃは第１カバー板３１上面を滑動することによりこちらも上方に旋回される。従って第１カバー板３１を旋回すると第２カバー板３２も旋回し、インターロックスイッチ３４はＯＦＦとなる。
【００５２】
第１カバー板３１は、旋回角度が９０°を越えた位置（図８の位置）を静止位置とし、図示しないストッパ等によってそれ以上旋回しないようになっている。第１カバー板３１がこの静止位置にあるとき、第２カバー板３２の旋回角度は９０°に満たず、その他端側３２ｃが第１カバー板３１の上面に当接してもたれかかっている。したがってこのまま第１カバー板３１を閉じると、第２カバー板３２もその他端側３２ｃが第１カバー板上面を滑動して、図７のように第１カバー板３１、第２カバー板３２がともに閉じている状態になる。
【００５３】
図９は旋回体６１を旋回させて開いた状態を示す。図９のように取っ手６１ｂを引き上げることにより旋回体６１を旋回させると、上方挟持体５７も旋回し、搬送路５２ｃが開放される。このときダンパ５９の作用により、旋回体６１は旋回角度が９０°に満たない位置（図９の位置）でも静止することができる。また、旋回体６１の旋回により、上方挟持体５７とともに上方構成体６０も旋回し、さらに第１カバー板３１も旋回する。すると第２カバー板３２の他端側３２ｃは第１カバー板３１上面を滑動することによりこちらも上方に旋回される。従って旋回体６１を旋回すると第２カバー板３２も旋回し、インターロックスイッチ３４はＯＦＦとなる。
【００５４】
これらの構成により、第１カバー板３１、または第２カバー板３２を開くことにより、上方構成体６０の上面を開放することができるとともに、旋回体６１を旋回させることにより、搬送路５２ｃを開放することができる。従って、メンテナンス等のためにこの上方構成体６０に接近、接触することができ、さらに搬送路５２ｃのメンテナンスやジャム処理が可能である。さらに第１カバー板３１、第２カバー板３２、旋回体６１のいずれかが開いていると、インターロックスイッチ３４がＯＦＦになることから、１つのインターロックスイッチによって２枚のカバー板、及び旋回体６１のいずれかが開き状態であることが検知可能であるので、第１カバー板３１、第２カバー板３２、旋回体６１それぞれに対応してインターロックスイッチを設ける必要がない。従って構成を複雑にすることなく、搬送路およびその上方に設けられた上方構成体がともに開放可能とした用紙搬送装置のインターロックスイッチを１個のスイッチで共用することができる。また、第１カバー板３１を旋回させると第２カバー板３２も旋回するが、その後第１カバー板３１を閉じると第２カバー板３２も閉じる。さらに旋回体６１を旋回させるとやはり第２カバー板３２が旋回するが、その後旋回体６１を閉じると第２カバー板３２も閉じる。従っていずれの場合も閉じる作業を２度以上行う必要がない。
【００５５】
さらに、第１カバー板３１、第２カバー板３２ともに完全に開きたい場合は、どちらも９０°を越えた静止位置まで旋回させる。そうすれば上方構成体６０上面を完全に開放することができる。また、用紙搬送装置５１ｃの上空には、この第１カバー板３１および第２カバー板３２の旋回に要する空間を確保すればよいので、１枚の大きなカバー板を旋回させる場合に比べて上空スペースが少なくてすみ、スペースを有効に活用することができる。
【００５６】
第２カバー板３２の他端側３２ｃには、第１、２実施形態と同一の滑り部材１５が設けられているので、第１カバー板３１の開閉がスムーズになり、第１カバー板３１の表面の磨耗等の問題がなくなる。
【００５７】
なお、この第３実施形態は、用紙搬送装置５１ｃの構成に加えて、搬送路５２ｃで搬送される用紙に対し、必要に応じて適宜の処理を行う処理部５３ｃを有する用紙処理装置５１ｗであってもよい。適宜の処理とは、用紙に印刷を行う印刷処理、穴を開ける穿孔処理、裁断を行う裁断処理、ステープル綴じや糊綴じ等を行う綴じ処理、複数の用紙の端部を揃える整合処理、用紙を折る折処理、折り目をつける折目付け処理等が挙げられ、処理部５３ｃにはこれらの処理のうちの１つを行う装置または、いくつかを組み合わせて行う装置が適用される。また、この用紙処理装置５１ｗにおいては、制御部５６ｃは搬送路５２ｃに加えて処理部５３ｃの駆動制御をも行い、インターロックスイッチ３４がＯＦＦであれば、この制御部５３ｃも駆動しないようにする。
【００５８】
そして、この処理部５３ｃのうち、搬送路５２ｃの用紙搬送ラインよりも上方の部分である上方処理部５３ｃ−１が、旋回体６１に支持されて設けられるように構成しても良い。このように構成すると、旋回体６１を旋回させることにより、旋回体６１とともに上方処理部５３ｃ−１も旋回する。従って上方処理部５３ｃ−１は、処理部５３ｃのうち搬送路５２ｃの用紙搬送ラインよりも下方の部分である下方処理部５３ｃ−２から離間する。このように処理部５３ｃを搬送路５２ｃを挟んで上下離間させることができるので、ジャム処理等がより行いやすくなり、加えて処理部５３ｃが用紙に作用する部分のメンテナンスも容易になる。なお、上方処理部５３ｃ−１、下方処理部５３ｃ−２は、例えば処理部５３ｃがステープル綴じ処理部であればステープラとクリンチャ、穿孔処理部であれば穴を開けるパンチと、このパンチを受けるダイス、切断処理部であれば互いに用紙を挟んで切断するための上側刃と下側刃、折り目をつける処理部であれば折り目を付けるためのブレードとこのブレードを受ける受部などが相当する。要するに、搬送路５２ｃを搬送される用紙に対して何らかの処理を行う時に、上側から作用する処理要素と、下側から作用する処理要素が、それぞれ上方処理部５３ｃ−１、下方処理部５３ｃ−２を構成する。さらに上方処理部５３ｃ−１、下方処理部５３ｃ−２は、処理要素を駆動する駆動手段や、これらの処理要素、駆動手段等をその位置に保持するためのブラケットなどの保持手段を含んでいてもよい。
【００５９】
次に本発明の第４実施形態の筐体カバー１ｄおよび用紙搬送装置７１を説明する。図１０ないし図１３はこの本発明の第４実施形態の筐体カバー１ｄおよび用紙搬送装置７１を示す図である。
【００６０】
この第４実施形態の用紙搬送装置７１は筐体２に覆われ、その内部に上下方向に間隔をおいて上搬送路７２と、下搬送路７３がそれぞれ略水平に設けられている。上搬送路７２においては、用紙は入紙口７４から排紙口７５に向かって搬送され、下搬送路７３においては、用紙は入紙口７６から排紙口７７に向かって搬送される。入紙口７４、７６側には、この用紙搬送装置７１に搬入される前段階の処理を行う前装置９１ｄが連結される。前装置９１ｄからは入紙口７４，７６に向かって用紙を１枚ずつ、もしくは複数枚束の状態で搬送される。筐体２内に用紙を１枚ずつ給送する給紙装置を設け、用紙搬送路７２，７３に供給しても良い。排紙口７５，７７側には、この用紙搬送装置７１から排出された後段階の処理を行う後装置９２ｄか、もしくは排出された用紙を積載する積載装置９３ｄが連結される。さらにこの用紙搬送装置７１には、上搬送路７２、下搬送路７３を駆動制御する制御部７８が設けられている。
【００６１】
さらにこの上搬送路７２には、用紙を用紙搬送ラインの上下から挟持して搬送するため、用紙を上方から挟持する上搬送路上方挟持体７９と、用紙を下方から挟持する上搬送路下方挟持体８０を有している。本第４実施形態においては、上搬送路下方挟持体８０は一対のローラ８０ａ間に掛け渡された搬送ベルト８０ｂで構成される。上搬送路上方挟持体７９は、搬送ベルト８０ｂの上方に接触転動する複数の搬送ローラ７９ａと、この搬送ローラ７９ａを回転可能に支持する支持体７９ｂとにより構成されている。
【００６２】
一対のローラ８０ａの一方には図示しない駆動源から駆動力が付与されているので、この駆動力により搬送ベルト８０ｂが周回し、これに転動して搬送ローラ７９ａが回転する。そして搬送ベルト８０ｂ上の用紙を搬送ローラ７９ａとの間にそれぞれ挟んで搬送する。
【００６３】
一方、下搬送路７３には、用紙を用紙搬送ラインの上下から挟持して搬送するため、用紙を上方から挟持する下搬送路上方挟持体８１と、用紙を下方から挟持する下搬送路下方挟持体８２を有している。本第４実施形態においては、下搬送路下方挟持体８２は一対のローラ８２ａ間に掛け渡された搬送ベルト８２ｂで構成される。下搬送路上方挟持体８１は、搬送ベルト８２ｂの上方に接触転動する複数の搬送ローラ８１ａにより構成されている。
【００６４】
一対のローラ８２ａの一方には図示しない駆動源から駆動力が付与されているので、この駆動力により搬送ベルト８２ｂが周回し、これに転動して搬送ローラ８１ａが回転する。そして搬送ベルト８２ｂ上の用紙を搬送ローラ８２ａとの間にそれぞれ挟んで搬送する。
【００６５】
なお、搬送ローラ７９ａ、８１ａは搬送ベルトであってもよく、搬送ベルト８０ｂ、８２ｂが搬送ローラであっても良いことはもちろんである。
【００６６】
そして上搬送路下方挟持体８０と下搬送路上方挟持体８１とをともに支持し、回動軸８４ａを中心に旋回可能な旋回体８４が設けられている。この旋回体８４の図示右側上方には取っ手８４ｂが設けられている。従ってこの取っ手８４ｂを引き上げて旋回体８４を上方に旋回させると、下搬送路７３を開放することができる。
【００６７】
筐体カバー１ｄはこの筐体２の上面に設けられ、第１カバー板４１と、第２カバー板４２の、計２枚のカバー板で構成されている。第１カバー板４１には、上搬送路上方挟持体７９の支持体７９ｂがその下面に取り付けられている。第１カバー板４１の一端側４１ａには、回動軸４１ｂが設けられ、他端側４１ｃを上方に引き上げることにより、回動軸４１ｂを中心に、支持体７９ｂとともに旋回可能になっている。
【００６８】
第２カバー板４２の回動軸４２ｂは、筐体の手前側壁部及び奥側壁部（図示せず）に支持されている。一方で、第１カバー板４１の回動軸４１ｂは、旋回体８４に支持されている。旋回体８４にはカバー板受部８４ｃが形成されており、第１カバー板４１の下面がこのカバー板受部８４ｃ上に載っている。従ってこの旋回体８４を旋回させると、上搬送路下方挟持体８０および下搬送路上方挟持体８１とともに、この第１カバー板４１も一緒に、回動軸８４ａを中心に旋回する。この旋回体８４を旋回させたとき、旋回角度が９０°に満たない位置で停止させても、旋回体８４が閉じないようにするためのダンパ８７が設けられている。
【００６９】
そして、第１カバー板４１の一端側４１ａ付近の部分の上方には、第２カバー板４２の他端側４２ｃ付近の部分が重なっている重ね部４３を形成している。また、２枚のカバー板のうち、一端側に重ね部を有しない第２カバー板４２の下方には、この第２カバー板４２の開閉状態を検知するインターロックスイッチ４４が設けられている。第２カバー板４２は閉状態において、カバー板下面でこのインターロックスイッチ４４を押してＯＮとしている。
【００７０】
この第２カバー板４２を開くと、カバー板下面がインターロックスイッチ４４から離間してスイッチを押すことができなくなるのでＯＦＦとなる。このインターロックスイッチ４４のＯＮ、ＯＦＦ信号が制御部７８に送られ、制御部７８はインターロックスイッチ４４がＯＦＦであれば、上搬送路７２および下搬送路７３を駆動しないようになっている。
【００７１】
図１１は第１カバー板４１を旋回させて開いた状態を示す。図１１のように第１カバー板４１を開くことにより、上搬送路７２のうち、第１カバー板４１の下方に位置する部分を開放することができる。すなわち第１カバー板４１は上搬送路開放カバー板として機能する。ここで第１カバー板４１の他端側４１ｃを上方に引き上げて旋回させると、第２カバー板４２の他端側４２ｃが第１カバー板４１上面を滑動することによりこちらも上方に旋回される。従って第１カバー板４１を旋回すると第２カバー板４２も旋回し、インターロックスイッチ４４はＯＦＦとなる。
【００７２】
第１カバー板４１は、旋回角度が９０°を越えた位置（図１１の位置）を静止位置とし、図示しないストッパ等によってそれ以上旋回しないようになっている。第１カバー板４１がこの静止位置にあるとき、第２カバー板４２の旋回角度は９０°に満たず、その他端側４２ｃが第１カバー板４１の上面に当接してもたれかかっている。したがってこのまま第１カバー板４１を閉じると、第２カバー板４２もその他端側４２ｃが第１カバー板４１上面を滑動して、図１０のように、第１カバー板４１、第２カバー板４２がともに閉じている状態になる。
【００７３】
図１２は旋回体８４を旋回させて開いた状態を示す。図１２にように取っ手８４ｂを引き上げることにより旋回体８４を旋回させると、下搬送路上方挟持体８１も旋回し、下搬送路７３が開放される。このときダンパ８７の作用により、旋回体８４は旋回角度が９０°に満たない位置（図１２の位置）でも静止することができる。また、旋回体８４の旋回により、下搬送路上方挟持体８１とともに上搬送路下方挟持体８０も旋回し、さらに第１カバー板４１及び上搬送路上方挟持体７９も旋回する。すると第２カバー板４２の他端側４２ｃは第１カバー板４１上面を滑動することによりこちらも上方に旋回される。従って旋回８４を旋回すると第２カバー板４２も旋回し、インターロックスイッチ４４はＯＦＦとなる。
【００７４】
これらの構成により、第１カバー板４１、または第２カバー板４２を開くことにより、上搬送路７２を開放することができるとともに、旋回体８４を旋回させることにより、下搬送路７３を開放することができる。従って、上搬送路７２、下搬送路７３ともにメンテナンスやジャム処理が可能である。さらに第１カバー板４１、第２カバー板４２、旋回体８４のいずれかが開いていると、インターロックスイッチ４４がＯＦＦになることから、１つのインターロックスイッチによって２枚のカバー板、及び旋回体８４のいずれかが開き状態であることが検知可能であるので、第１カバー板４１、第２カバー板４２、旋回体８４それぞれに対応してインターロックスイッチを設ける必要がない。従って構成を複雑にすることなく、上下に設けられた２つの用紙搬送路がともに開放可能とした用紙搬送装置のインターロックスイッチを１個のスイッチで共用することができる。また、第１カバー板４１を旋回させると第２カバー板４２も旋回するが、その後第１カバー板４１を閉じると第２カバー板４２も閉じる。さらに旋回体８４を旋回させるとやはり第２カバー板４２が旋回するが、その後旋回体８４を閉じると第２カバー板４２も閉じる。従っていずれの場合も閉じる作業を２度以上行う必要がない。
【００７５】
図１３は第２カバー板４２だけを開いた状態を示す。図１３のように第２カバー板４２を開くことにより、上搬送路７２のうち、第２カバー板４２の下方に位置する部分を開放することができる。
【００７６】
第１カバー板４１、第２カバー板４２ともに完全に開きたい場合は、どちらも９０°を越えた静止位置まで旋回させる。そうすれば上搬送路７２を完全に開放することができる。また、用紙搬送装置７１の上空には、この第１カバー板４１および第２カバー板４２の旋回に要する空間を確保すればよいので、１枚の大きなカバー板を旋回させる場合に比べて上空スペースが少なくてすみ、スペースを有効に活用することができる。
【００７７】
第２カバー板４２の他端側４２ｃには、第１、２実施形態と同一の滑り部材１５が設けられているので、第１カバー板４１の開閉がスムーズになり、第１カバー板４１の表面の磨耗等の問題がなくなる。
【００７８】
なお、この第４実施形態は、用紙搬送装置７１の構成に加えて、上搬送路７２で搬送される用紙に対し、必要に応じて適宜の処理を行う処理部８５を有する用紙処理装置７１ｘであってもよい。適宜の処理とは、用紙に印刷を行う印刷処理、穴を開ける穿孔処理、裁断を行う裁断処理、ステープル綴じや糊綴じ等を行う綴じ処理、複数の用紙の端部を揃える整合処理、用紙を折る折処理、折り目をつける折目付け処理等が挙げられ、処理部８５にはこれらの処理のうちの１つを行う装置または、いくつかを組み合わせて行う装置が適用される。この用紙処理装置７１ｘにおいては、制御部７８は上搬送路７２、下搬送路７３に加えて処理部８５の駆動制御をも行い、インターロックスイッチ４４がＯＦＦであれば、制御部７８はこの処理部８５も駆動しないようにする。
【００７９】
そして、この処理部８５のうち、上搬送路７２の用紙搬送ラインよりも上方の部分である上方処理部８５ａが、支持体７９ｂに支持されて設けられるように構成しても良い。このように構成すると、図１１のようにカバー板４１を旋回させることにより、カバー板４１、支持体７９ｂとともに上方処理部８５ａも旋回する。従って上方処理部８５ａは、処理部８５のうち上搬送路７２の用紙搬送ラインよりも下方の部分である下方処理部８５ｂから離間する。このように処理部８５を上搬送路７２を挟んで上下離間させることができるので、ジャム処理等がより行いやすくなり、加えて処理部８５が用紙に作用する部分のメンテナンスも容易になる。なお、上方処理部８５ａ、下方処理部８５ｂは、例えば処理部８５がステープル綴じ処理部であればステープラとクリンチャ、穿孔処理部であれば穴を開けるパンチと、このパンチを受けるダイス、切断処理部であれば互いに用紙を挟んで切断するための上側刃と下側刃、折り目をつける処理部であれば折り目を付けるためのブレードとこのブレードを受ける受部などが相当する。要するに、上搬送路７２を搬送される用紙に対して何らかの処理を行う時に、上側から作用する処理要素と、下側から作用する処理要素が、それぞれ上方処理部８５ａ、下方処理部８５ｂを構成する。さらに上方処理部８５ａ、下方処理部８５ｂは、処理要素を駆動する駆動手段や、これらの処理要素、駆動手段等をその位置に保持するためのブラケットなどの保持手段を含んでいてもよい。
【００８０】
さらに、この第４実施形態は、用紙搬送装置７１の構成に加えて、下搬送路７３で搬送される用紙に対し、必要に応じて適宜の処理を行う処理部８６を有する用紙処理装置７１ｙであってもよい。適宜の処理とは、用紙に印刷を行う印刷処理、穴を開ける穿孔処理、裁断を行う裁断処理、ステープル綴じや糊綴じ等を行う綴じ処理、複数の用紙の端部を揃える整合処理、用紙を折る折処理、折り目をつける折目付け処理等が挙げられ、処理部８６にはこれらの処理のうちの１つを行う装置または、いくつかを組み合わせて行う装置が適用される。この用紙処理装置７１ｙにおいては、制御部７８は上搬送路７２、下搬送路７３に加えて処理部８６の駆動制御をも行い、インターロックスイッチ４４がＯＦＦであれば、制御部７８はこの処理部８６も駆動しないようにする。
【００８１】
そして、この処理部８６のうち、下搬送路７３の用紙搬送ラインよりも上方の部分である上方処理部８６ａが、旋回体８４に支持されて設けられるように構成しても良い。このように構成すると、図１２のように旋回体８４を旋回させることにより、旋回体８４とともに上方処理部８６ａも旋回する。従って上方処理部８６ａは、処理部８６のうち下搬送路７３の用紙搬送ラインよりも下方の部分である下方処理部８６ｂから離間する。このように処理部８６を下搬送路７３を挟んで上下離間させることができるので、ジャム処理等がより行いやすくなり、加えて処理部８６が用紙に作用する部分のメンテナンスも容易になる。なお、上方処理部８６ａ、下方処理部８６ｂは、例えば処理部８６がステープル綴じ処理部であればステープラとクリンチャ、穿孔処理部であれば穴をあけるパンチと、このパンチを受けるダイス、切断処理部であれば互いに用紙を挟んで切断するための上側刃と下側刃、折り目をつける処理部であれば折り目を付けるためのブレードとこのブレードを受ける受部などが相当する。要するに、下搬送路７３を搬送される用紙に対して何らかの処理を行う時に、上側から作用する処理要素と、下側から作用する処理要素が、それぞれ上方処理部８６ａ、下方処理部８６ｂを構成する。さらに上方処理部８６ａ、下方処理部８６ｂは、処理要素を駆動する駆動手段や、これらの処理要素、駆動手段等をその位置に保持するためのブラケットなどの保持手段を含んでいてもよい。
【００８２】
さらにこの用紙処理装置７１ｘ、７１ｙに代えて、処理部８５、処理部８６の両方が設けられた用紙処理装置７１ｚであっても良い。
【００８３】
さらに、この第４実施形態の用紙搬送装置７１は、旋回体８４を旋回させて下搬送路７３を開放した状態（図１２）において、さらに第１カバー板４１および第２カバー板４２を開くことにより、下搬送路７３と上搬送路７２の両方を同時にすべて開放させることができる。
【００８４】
さらに、本発明の第１、２、３、４実施形態においては、用紙の搬送方向はカバー板の他端側から一端側に向かう方向となっているが、これが逆方向、すなわち図１，３，４，５における左側から右側に搬送される形態でも良いことは言うまでもない。また、本発明の第４実施形態においては、上搬送路７２と下搬送路７３の用紙搬送方向が逆向きであっても良い。
【００８５】
さらに図１４に本発明の第４実施形態の変形例を示す。本変形例では、上搬送路７２ａと下搬送路７３ａとが合流する合流部８８を形成している。この合流部８８の近い位置に回動軸８４ａが配置されている。上搬送路下側挟持体８０の合流部分８０ｃと、下搬送路下側挟持体８２とは、互いに干渉しないように、幅方向に互い違いに配置されている。上搬送路７２ａの合流部付近の上方には適宜のガイド８９を配置して、用紙を案内する。このガイド８９を旋回または着脱可能に構成すれば、この合流部付近において上搬送路７２ａを開放させることができ、且つこのガイド８９は第２カバー板４２を開放することによりはじめて操作可能になるので、インターロックスイッチ４４がＯＦＦの状態ではこのガイド８９を操作することはできないように構成されているので、ガイド８９に対応して新たなインターロックスイッチを設ける必要が無い。また同様に、入紙側から排紙側に向かって分岐を有する分岐搬送路を有するように構成することもできる。
【図面の簡単な説明】
【００８６】
【図１】本発明の第１実施形態の筐体カバー１および用紙搬送装置５１、用紙処理装置５１ｕを示す正面図である。
【図２】本発明の第１実施形態の筐体カバー１および用紙搬送装置５１、用紙処理装置５１ｕにおいて、第２カバー板１２を旋回させて開いた状態を示す正面図である。
【図３】本発明の第１実施形態の筐体カバー１および用紙搬送装置５１、用紙処理装置５１ｕにおいて、第１カバー板１１を旋回させて開いた状態を示す正面図である。
【図４】本発明の第１実施形態の筐体カバー１および用紙搬送装置５１、用紙処理装置５１ｕを示す上面図である。
【図５】本発明の第２実施形態の筐体カバー１ａおよび用紙搬送装置５１ａ、用紙処理装置５１ｖを示す正面図である。
【図６】本発明の第２実施形態の筐体カバー１ａおよび用紙搬送装置５１ａ、用紙処理装置５１ｖにおいて、第１カバー板２１を旋回させて開いた状態を示す正面図である。
【図７】本発明の第３実施形態の筐体カバー１ｃおよび用紙搬送装置５１ｃ、用紙処理装置５１ｗを示す正面図である。
【図８】本発明の第３実施形態の筐体カバー１ｃおよび用紙搬送装置５１ｃ、用紙処理装置５１ｗにおいて、第１カバー板３１を旋回させて開いた状態を示す正面図である。
【図９】本発明の第３実施形態の筐体カバー１ｃおよび用紙搬送装置５１ｃ、用紙処理装置５１ｗにおいて、旋回体６１を旋回させて開いた状態を示す正面図である。
【図１０】本発明の第４実施形態の筐体カバー１ｄおよび用紙搬送装置７１、用紙処理装置７１ｘ、７１ｙ、７１ｚを示す正面図である。
【図１１】本発明の第４実施形態の筐体カバー１ｄおよび用紙搬送装置７１、用紙処理装置７１ｘ、７１ｙ、７１ｚにおいて、第１カバー板４１を旋回させて開いた状態を示す正面図である。
【図１２】本発明の第４実施形態の筐体カバー１ｄおよび用紙搬送装置７１、用紙処理装置７１ｘ、７１ｙ、７１ｚにおいて、旋回体８４を旋回させて開いた状態を示す正面図である。
【図１３】本発明の第４実施形態の筐体カバー１ｄおよび用紙搬送装置７１、用紙処理装置７１ｘ、７１ｙ、７１ｚにおいて、第２カバー板４２を旋回させて開いた状態を示す正面図である。
【図１４】本発明の第４実施形態の変形例を示す正面図である。
【図１５】背景技術の筐体カバーを示す正面図である。
【図１６】背景技術の筐体カバーの第２の例を示す正面図である。
【図１７】背景技術の用紙搬送装置を示す正面図である。
【図１８】背景技術の用紙搬送装置において、カバー板３０１を旋回して開いた状態を示す正面図である。
【図１９】背景技術の用紙搬送装置において、カバー板３０１と構成体３０３を旋回して開いた状態を示す正面図である。
【符号の説明】
【００８７】
１、１ａ、１ｃ、１ｄ；筐体カバー
２；筐体
１１、２１、３１、４１；第１カバー板
１２、２２、３２、４２；第２カバー板
１３、２７ａ、２７ｂ、３３、４３；重ね部
１４、２４、３４、４４；インターロックスイッチ
１５；滑り部材
２３；第３カバー板
５１、５１ａ、５１ｃ、７１；用紙搬送装置
５１ｕ、５１ｖ、５１ｗ、７１ｘ、７１ｙ、７１ｚ；用紙処理装置
５２、５２ｃ；用紙搬送路
５３、５３ｃ；処理部
５３ｃ−１；上方処理部
５３ｃ−２；下方処理部
５６、５６ｃ；制御部
５７；上方挟持体
５８；下方挟持体
６０；上方構成体
６１、８４；旋回体
７２、７２ａ；上搬送路
７３、７３ａ；下搬送路
７８；制御部
７９；上搬送路上方挟持体
８０；上搬送路下方挟持体
８１；下搬送路上方挟持体
８２；下搬送路下方挟持体
８５；処理部
８５ａ；上方処理部
８６；処理部
１０１；装置筐体
１０２；カバー板
１０３；回動軸
３０１；カバー板
３０２；搬送路
３０３；構成体
【図１】
0004674378.tif 000002
【図２】
0004674378.tif 000003
【図３】
0004674378.tif 000004
【図４】
0004674378.tif 000005
【図５】
0004674378.tif 000006
【図６】
0004674378.tif 000007
【図７】
0004674378.tif 000008
【図８】
0004674378.tif 000009
【図９】
0004674378.tif 000010
【図１０】
0004674378.tif 000011
【図１１】
0004674378.tif 000012
【図１２】
0004674378.tif 000013
【図１３】
0004674378.tif 000014
【図１４】
0004674378.tif 000015
【図１５】
0004674378.tif 000016
【図１６】
0004674378.tif 000017
【図１７】
0004674378.tif 000018
【図１８】
0004674378.tif 000019
【図１９】
0004674378.tif 000020